(57)【要約】【課題】従来の締結具は、平坦なボルトの頭部と、これと同様に平坦な袋ナットの端面とによってワイヤを挟持して連結しているので、ワイヤとこれを押さえている面との間の摩擦力がそれ程大きくなく、ワイヤをある程度の力で引っ張ると、ワイヤが滑って締結具から抜けてしまうおそれがある。【解決手段】ワイヤＷ１とワイヤＷ２は棒状体１５の先端と凸部２９とに挟持され、さらに筒部７の開口１１側の端面３３と頭部２３の下面（雄ネジ部２５側の面）３５とによって挟持される。ワイヤＷ１とワイヤＷ２の棒状体１５の先端と凸部２９とによって挟持される部分は、狭い面積に圧力が集中するので、ワイヤＷ１とワイヤＷ２が大きな圧力をもって押圧される。従って、ワイヤＷ１とワイヤＷ２は強固に連結固定される。【選択図】        図９
2006132686.tif 000002
【特許請求の範囲】
【請求項１】
ナットとボルトとから成る締結具であって、前記ナットは内周面に雌ネジ部が形成された筒部と、筒部の一端側を閉鎖する底部と、底部に形成され筒部の他端側の開口へ向かって突出する棒状体とを有し、前記ボルトはナットの雌ネジ部に螺合する雄ネジ部と、雄ネジ部に対し一体に形成された頭部と、雄ネジ部がナットの雌ネジ部に螺合すると棒状体が入り込むすり割り溝とを有しており、前記ボルトの雄ネジ部を前記ナットの雌ネジ部に螺合させた状態で、ナット側の棒状体の先端が対向するボルト側の部位に凸部を形成したことを特徴とする締結具。
【請求項２】
請求項１に記載した締結具において、凸部の上面が凸状に形成されていることを特徴とする締結具。
【請求項３】
請求項１に記載した締結具において、凸部の上面が凹状に形成されていることを特徴とする締結具。
【請求項４】
請求項１から３に記載した締結具のいずれかにおいて、ナットは筒部の外周面には指を掛けてナットを回すための指掛け片を備えた蝶ナットであることを特徴とする締結具。
【請求項５】
請求項１から請求項４に記載した締結具のいずれかにおいて、ナットにはナットを回すための工具を連結するための工具連結部が形成されていることを特徴とする締結具。
【請求項６】
請求項５に記載した締結具において、工具連結部は異なる種類の工具に対応して複数形成されていることを特徴とする締結具。
【発明の詳細な説明】
【技術分野】
【０００１】
本発明はボルトとナットから成る締結具に係り、特にプレートとワイヤ等の線状体、線状体どうしとを連結するのに適した締結具に関するものである。
【背景技術】
【０００２】
雄ネジ部にすり割り溝を有するボルトと袋ナットとから成る従来の締結具は、ナットのすり割り溝に例えば２本のワイヤを入れてから、ボルトにナットを螺合させ、ナットを回して締め付けることによりワイヤどうしを連結している。即ち、すり割り溝に通した２本のワイヤを、ボルトの下面と袋ナットの開口側の端面とによって挟持して連結している。なお、この袋ナットは所謂蝶ナットであり、手で回して締め付けを行うものである。
【発明の開示】
【発明が解決しようとする課題】
【０００３】
しかしながら、上記従来の締結具は、平坦なボルトの頭部の下面と、これと同様に平坦な袋ナットの端面とによってワイヤを挟持して連結しているので、ワイヤとこれを押さえている面との間の摩擦力がそれ程大きくなく、ワイヤをある程度の力で引っ張ると、ワイヤが滑って締結具から抜けてしまうおそれがある。
また、ワイヤ等の被連結物の径寸法（厚さ寸法）が大きい場合にはネジ長が長くなってネジを回す数も多くなり、手で蝶ナットを回す作業は大変であるばかりか作業効率が悪く作業コストが高くなってしまう。そこで、種々の工具を用いたいという要望がある。特にこの種の締結具は一度の施工で数百個以上使用することも珍しくなく作業効率はかなり重要な問題である。
本発明は上記従来の問題点に着目して為されたものであり、滑りやすい材料によって構成された被連結物でも強固に連結できて、しかも手だけでなく、臨機応変に種々の工具を用いてネジを回すことができる締結具を提供することを目的とする。
【課題を解決するための手段】
【０００４】
本発明は上記課題を解決するためになされたものであり、請求項１の発明は、ナットとボルトとから成る締結具であって、前記ナットは内周面に雌ネジ部が形成された筒部と、筒部の一端側を閉鎖する底部と、底部に形成され筒部の他端側の開口へ向かって突出する棒状体とを有し、前記ボルトはナットの雌ネジ部に螺合する雄ネジ部と、雄ネジ部に対し一体に形成された頭部と、雄ネジ部がナットの雌ネジ部に螺合すると棒状体が入り込むすり割り溝とを有しており、前記ボルトの雄ネジ部を前記ナットの雌ネジ部に螺合させた状態で、ナット側の棒状体の先端が対向するボルト側の部位に凸部を形成したことを特徴とする締結具である。
【０００５】
請求項２の発明は、請求項１に記載した締結具において、凸部の上面が凸状に形成されていることを特徴とする締結具である。
【０００６】
請求項３の発明は、請求項１に記載した締結具において、凸部の上面が凹状に形成されていることを特徴とする締結具である。
【０００７】
請求項４の発明は、請求項１から３に記載した締結具のいずれかにおいて、ナットは筒部の外周面には指を掛けてナットを回すための指掛け片を備えた蝶ナットであることを特徴とする締結具である。
【０００８】
請求項５の発明は、請求項１から請求項４に記載した締結具のいずれかにおいて、ナットにはナットを回すための工具を連結するための工具連結部が形成されていることを特徴とする締結具である。
【０００９】
請求項６の発明は、請求項５に記載した締結具において、工具連結部は異なる種類の工具に対応して複数形成されていることを特徴とする締結具である。
【発明の効果】
【００１０】
本発明の締結具によれば、滑りやすい材料によって構成された被連結物でも強固に連結できる。
また、手だけでなく、臨機応変に種々の工具を用いてネジを回すことができる。
【発明を実施するための最良の形態】
【００１１】
本発明の締結具では、ボルトの雄ネジ部をナットの雌ネジ部に螺合させた状態で、ナット側の棒状体の先端が対向するボルト側の部位に凸部を形成したので、被連結物が棒状体の先端と凸部とによって挟持される。従って、被連結物が大きな圧力をもって押圧され、滑りやすい材料によって構成された被連結物の強固な連結固定を実現できる。
【００１２】
本発明の実施の形態に係る締結具１を図面にしたがって説明する。
締結具１はプラスチック製であり、ナット５とボルト３とによって構成されている。
ナット５の構成について説明する。
符号７はほぼ円筒状の筒部を示し、この筒部７の一端側は底部９によって閉鎖され、他端側だけに開口１１が形成されている。よって、ナット５は所謂袋ナットである。
筒部７の内周面には雌ネジ部１３が形成されている。また、底部９には丸棒状の棒状体１５が設けられており、この棒状体１５はその軸心が筒部７の軸心と一致する位置に備えられている。棒状体１５は開口１１へ向かって突出しており、その先端部はほぼ半球状に形成されている。
【００１３】
筒部７の外周面には一対の指掛け片１７が設けられており、ナット５は所謂蝶ナットになっている。また、筒部７の底部９側の端部には工具連結部としての六角柱部１９が形成されており、この六角柱部１９の軸心は筒部７の軸心と一致している。六角柱部１９の中心部には工具連結部としての六角穴２１が形成されている。六角穴２１は六角レンチが嵌合できる有底の六角柱状の穴であり、この六角穴２１の底は底部９の外側の面によって構成されている。
【００１４】
ボルト３の構成について説明する。
符号２３は頭部を示し、この頭部２３には雄ネジ部２５が形成されている。雄ネジ部２５はすり割り溝２７を挟んで対向する一対の軸部２５ａ、２５ｂと、これら軸部２５ａ、２５ｂの外周面に形成された雄ネジ２８とによって構成されている。即ち、雄ネジ部２５は外周面に雄ネジを有する軸の中央部分の肉を盗んだ形状をしており、この肉盗みした部分にすり割り溝２７が形成されている。
【００１５】
すり割り溝２７の底部には凸部２９が形成されており、この凸部２９は軸部２５ａ、２５ｂの対向面を繋ぐように延びている。凸部２９の上面は凸状に形成されている。凸部２９は後述するようにボルト３の雄ネジ部２５とナット５の雌ネジ部１３とを螺合させた状態で、棒状体１５の先端が対向する部位に備えられている。
頭部２３の外周面の一部が面取りされて、二つの平坦部３１が形成されており、平坦部３１には滑り止めのための細かい凹凸部が形成されている。
【００１６】
次に、この締結具１の使用方法について説明する。
まず、締結具１によって、ある程度の可撓性を有する被連結物としてのワイヤＷ１とワイヤＷ２とを連結する場合を説明する。
ボルト３のすり割り溝２７にワイヤＷ１とワイヤＷ２を入れてから、ナット５の雌ネジ部１３をボルト３の雄ネジ部２５に螺合する。そして、ナット５を締まる方向へ回して締め付ける。これによりワイヤＷ１とワイヤＷ２は棒状体１５の先端と凸部２９とに挟持され、さらに筒部７の開口１１側の端面３３とボルト３の頭部２３の下面（雄ネジ部２５側の面）３５とによって挟持される。
【００１７】
ワイヤＷ１とワイヤＷ２の棒状体１５の先端と凸部２９とにより挟持される部分は狭い面積となっており、この狭い面積に圧力が集中するので、ワイヤＷ１とワイヤＷ２が大きな圧力をもって押圧される。従って、ワイヤＷ１とワイヤＷ２は強固に連結固定されることになり、ワイヤＷ１とワイヤＷ２が滑りやすい材料によって構成されている場合であっても、すり割り溝２７から抜けて連結が解除されてしまうのを確実に防止することが可能となる。
なお、ワイヤＷ１とワイヤＷ２の棒状体１５の先端と凸部２９とによって挟持される部分は、凸部２９によって押されることにより湾曲した状態となり、すり割り溝２７から抜け難い状態で保持される。
【００１８】
次に、締結具１によって、高い剛性をもつ被連結物としての金属製のプレートＰと金属製のシャフトＳとを連結する場合を説明する。
プレートＰには丸穴Ｐａが形成されており、この丸穴Ｐａはボルト３の雄ネジ部２５が多少の余裕をもって挿入できる径寸法になっている。
ボルト３のすり割り溝２７にシャフトＳを入れてから丸穴Ｐａへ挿入し、雄ネジ部２５にナット５の雌ネジ部１３を螺合する。そして、ナット５を締まる方向へ回して締め付ける。これにより凸部２９がシャフトＳに圧接し、また筒部７の開口１１側の端面３３がプレートＰの下面に圧接する。シャフトＳの凸部２９が圧接する部分は狭い面積になっており、この狭い面積に圧力が集中するので、シャフトＳは特に大きな圧力をもって押圧される。従って、プレートＰとシャフトＳは強固に連結固定されることになり、プレートＰとシャフトＳが滑りやすい材料によって構成されている場合であっても、シャフトＳがすり割り溝２７から抜けて連結が解除されてしまうのを確実に防止することが可能となる。
【００１９】
上記したナット５を回す作業は、図１２に示すように手の指Ｆを一対の指掛け片１７を挟むようにして掛けて、ナット５を回してもよく、また六角レンチＲを六角穴２１に差し込んで回してもよい。さらに多角形ソケットＴを回転部に備えたドライバードリルＤを用いてもよい。即ち、多角形ソケットＴを六角柱部１９に嵌めて回転部を回転させて、ナット５を回してもよい。
また、上記の指Ｆ、六角レンチＲ及び多角形ソケットＴを回転部に備えたドライバードリルＤの少なくとも２つを組み合わせてナット５を回して締めることも可能である。
特に多角形ソケットＴを回転部に備えたドライバードリルＤ等の電動工具を使用すれば、太い被連結物を連結するためのネジ長の長い締結具１でも、容易に締め付け作業ができ、高い作業効率を実現できる。また、ドライバードリルＤは締め付けトルクの設定ができるので、一定の締め付け力を確保することが可能となり、作業者の熟練度合いに影響されることなく均一な締結具１の締め付けが可能となる。
【００２０】
図１３、図１４にその他の実施の形態に係る締結具４１、５１を示す。これらの締結具４１、５１と上記実施の形態に係る締結具１との相違点は凸部の形状のみであるので、締結具１と同じ構成部分については締結具１の説明で用いた符号を付して、その説明を省略する。
図１３に示す締結具４１の凸部４３は上面の頂部が尖った凸状に形成されている。従って、凸部４３の上面頂部の極小さな面積の部分が被連結部に圧接することより、被連結物に対する非常に大きな押圧力を発揮することになる。よって、被連結部はより強固に連結固定される。
【００２１】
図１４に示す締結具５１の凸部５３は上面が凹状に形成されている。従って、凸部５３は被連結物の形状に沿うようにして、被連結物に対し確実に接触する。よって、被連結部はより強固に連結固定される。
【００２２】
以上、本発明の実施の形態について詳述してきたが、具体的構成は、この実施の形態に限られるものではなく、本発明の要旨を逸脱しない範囲における設計の変更などがあっても発明に含まれる。
例えば、上記実施の形態では凸部を１つだけ設けるようにしたが、本発明はこれに限定されず複数個設けてもよい。
さらに、上記実施の形態ではナットに指掛け片、六角柱部及び六角穴を形成したが、これらのうちの一つ或いは２つを組み合わせて備えた構造としてもよい。また、他の工具例えばドライバー等を連結できる溝等を設けてもよい。
なお、締結具はプラスチックに限らず、金属、プラスチックと金属との複合等、種々の材料によって構成することが可能である。
また、本発明の締結具は上記したワイヤ等だけでなく、ロープ等を連結する場合に使用できるのは勿論である。
【図面の簡単な説明】
【００２３】
【図１】本発明の実施の形態に係る締結具を構成するナットとボルトの斜視図である。
【図２】図１に示したナットの正面図である。
【図３】図１に示したナットの平面図である。
【図４】図１に示したナットの底面図である。
【図５】図１に示したナットのＡ−Ａ断面図である。
【図６】図１に示したボルトの正面図である。
【図７】図１に示したボルトの平面図である。
【図８】図１の締結具を用いてワイヤどうしを連結した状態の斜視図である。
【図９】図８のＢ−Ｂ断面図である。
【図１０】図１の締結具を用いて金属製のプレートと金属製のシャフトとを連結した状態の斜視図である。
【図１１】図１０のＣ−Ｃ断面図である。
【図１２】ナットを指、種々の工具も用いて回す作業について説明するための斜視図である。
【図１３】その他の実施の形態に係る締結具の正面図である。
【図１４】その他の実施の形態に係る締結具の正面図である。
【符号の説明】
【００２４】
１、４１、５１  締結具        ３  ボルト        ５  ナット
７  筒部        ９  底部        １１  開口
１３  雌ネジ部        １５  棒状体        １７  指掛け片
１９  六角柱部        ２１  六角穴        ２３  頭部
２５  雄ネジ部        ２５ａ、２５ｂ  軸部        ２７  すり割り溝
２８  雄ネジ        ２９、４３、５３  凸部        ３１  平坦部
３３  筒部の開口側の端面        ３５  頭部下面
Ｗ１、Ｗ２  ワイヤ        Ｐ  金属製のプレート
Ｐａ  金属製のプレートの丸穴        Ｆ  指        Ｒ  六角レンチ
Ｔ  多角形ソケット        Ｄ  ドライバードリル
【図１】
2006132686.tif 000003
【図２】
2006132686.tif 000004
【図３】
2006132686.tif 000005
【図４】
2006132686.tif 000006
【図５】
2006132686.tif 000007
【図６】
2006132686.tif 000008
【図７】
2006132686.tif 000009
【図８】
2006132686.tif 000010
【図９】
2006132686.tif 000011
【図１０】
2006132686.tif 000012
【図１１】
2006132686.tif 000013
【図１２】
2006132686.tif 000014
【図１３】
2006132686.tif 000015
【図１４】
2006132686.tif 000016